(57)【要約】【課題】小型カメラの表示文字や表示記号を遠視の者にも見えるようにする。【解決手段】コンパクトカメラ１１の上面の制御ボタン１４やデートボタン１５の近傍に、ボタンの機能を示すための記号や文字である表示情報を付す。表示情報は見る者によっては、識別しにくいほどの大きさである。カメラ１１にストラップ部材１２を取り付ける。ストラップ部材１２には、ストラップ留め具１３を設ける。ストラップ留め具１３は凸レンズ２４を備える。凸レンズ２４を用いると、誰が見ても表示情報が容易に識別できる。【選択図】　　　　図１
2004109303.tif 000002
【特許請求の範囲】
【請求項１】
携帯して使用される携帯機器に取り付けられるストラップ部材と、前記携帯機器に付された表示情報を観察するための凸レンズと、この凸レンズを前記ストラップ部材に固定するためのレンズ支持部材とを備えることを特徴とするストラップ。
【請求項２】
前記携帯機器がカメラであることを特徴とする請求項１に記載のストラップ。
【請求項３】
前記レンズ支持部材が、前記ストラップ部材を束ねて輪を形成するようにして前記ストラップ部材に取り付けられ、前記ストラップ部材が前記凸レンズを迂回するようにして前記ストラップ支持部材の中を挿通することを特徴とする請求項１に記載のストラップ。
【請求項４】
前記レンズ支持部材が環状を有し、前記凸レンズが前記レンズ支持部材の中に、前記レンズ支持部材と一体的に成形されることを特徴とする請求項１または３に記載のストラップ。
【請求項５】
携帯して使用される携帯機器に取り付けられるストラップ部材に設けられるストラップ留め具であって、前記携帯機器に付された表示情報を観察するための凸レンズと、この凸レンズをストラップ部材に固定するためのレンズ支持部材とを備えることを特徴とするストラップ留め具。
【発明の詳細な説明】
【０００１】
【発明の属する技術分野】
本発明は、カメラ等に取り付けられるストラップおよびストラップ留め具に関するものである。
【０００２】
【従来の技術】
カメラには、ボタン等の機能を説明するための文字、記号等の表示情報が付されている。近年カメラは、小型化される傾向にあり、それに併せて表示情報も小さくせざるを得なくなっている。そのため、使用者によっては、そのような表示情報の内容が認識しづらいことがある。
【０００３】
一方、一般的にカメラには、持ち歩くとき首等に掛けられるようにストラップを取り付け、輪を形成させ、その輪の大きさを調整するためにストラップ留め具が設けられている。このストラップ留め具は、例えば、電池の蓋を開けるためや小さなボタンのスイッチを押すために突起が設けられることにより、カメラの使用における補助的な部材として用いられることがある。
【０００４】
【発明が解決しようとする課題】
そこで、本発明においてはストラップ留め具を改良することにより、携帯機器に付されている表示情報を見やすくすることを目的とする。
【０００５】
【課題を解決するための手段】
本発明に係るストラップは、携帯して使用される携帯機器に取り付けられるストラップ部材と、携帯機器に付された表示情報を観察するための凸レンズと、この凸レンズをストラップ部材に固定するためのレンズ支持部材とを備える。これにより、携帯機器に小さく付された表示情報を容易に認識することが可能になる。
【０００６】
携帯機器は例えば、カメラであり、ストラップ部材の両端部は携帯機器に連結されている。レンズ支持部材は、例えば、ストラップ部材を束ねて輪を形成するようにしてストラップ部材に取り付けられ、ストラップ部材は凸レンズを迂回するようにしてストラップ支持部材の中を挿通する。
【０００７】
レンズ支持部材が環状を有する場合、例えば、凸レンズはレンズ支持部材の中に、レンズ支持部材と一体的に成形される。
【０００８】
本発明に係るストラップ留め具は、携帯して使用される携帯機器に取り付けられるストラップ部材に設けられるストラップ留め具であって、携帯機器に付された表示情報を観察するための凸レンズと、この凸レンズをストラップ部材に固定するためのレンズ支持部材とを備える。
【０００９】
【発明の実施の形態】
以下、本発明の実施形態について添付図面を参照して説明する。
図１は本発明の第１の実施形態であるコンパクトカメラ１１を示す。カメラ１１上面には、シャッタボタン１９の他、制御ボタン１４、デートボタン１５、表示部１６が設けられている。
【００１０】
制御ボタン１４は例えば、フラッシュ、セルフタイマー等に使用されるボタンであり、デートボタン１５は、表示部１６に表示される日付や写真にプリントされる日付を変更するためのボタンである。デートボタン１５は、誤操作を防止するため、他のボタンに比べて小さく、指で操作するのは困難である。
【００１１】
制御ボタン１４やデートボタン１５の近傍にはそのボタンの機能を示すための記号や文字等の表示情報が付されている。この表示情報はカメラが小型化されるのに伴って、小さくなっている。すなわち、本実施形態のように小型化されたカメラにおいて、通常の視力を有する者が、表示情報を見たとき、その表示内容は識別できるが、遠視の者が見たとき、文字等がぼやけてしまいその表示内容が識別できない場合がある。そこで本実施形態では、後述するようにストラップ留め具１３に凸レンズ２４を設けている。
【００１２】
カメラ１１の側面には、連結具１７を介してストラップ１０が連結されている。連結具１７に連結されたストラップ１０は、ストラップ部材１２と、ストラップ部材１２に設けられたストラップ留め具１３を有する。
【００１３】
図２および図３はストラップ留め具１３を示す。ストラップ留め具１３はカメラ１１に付された表示情報を観察するための凸レンズ２４と、この凸レンズ２４をストラップ部材１２に固定するためのレンズ支持部材２３を有する。レンズ支持部材２３は環状であり、凸レンズ２４がレンズ支持部材２３の中に形成されている。なお、凸レンズ２４とレンズ支持部材２３は、例えば合成樹脂から成り、一体的に成形されることが好ましい。
【００１４】
レンズ支持部材２３には、ストラップ部材１２を挿通させるための挿通口２３ａ、２３ｂ、２３ｃが設けられる。挿通口２３ａはストラップ部材１２が２本通るのに充分な大きさの口でありレンズ支持部材２３の外周面に設けられる。挿通口２３ｂ、２３ｃはそれぞれ、ストラップ部材１２が１本通るのに充分な大きさの口であり、レンズ支持部２３の外周面において、挿通口２３ａとは反対側の面に設けられる。挿通口２３ａが、凸レンズ２４を迂回するように、挿通口２３ｂ、２３ｃに連通させられることによって、ストラップ支持部材２３内に円弧状の連通穴２７ｂ、２７ｃが形成される。
【００１５】
ストラップ部材１２は１本の紐であり、ストラップ部材１２の両端部は連結具１７（図１参照）に連結される。レンズ支持部材２３は、ストラップ部材１２を束ねて、輪１２ａを形成するようにして、ストラップ部材１２に取り付けられる。ストラップ部材１２は、連通穴２７ｂ、２７ｃに挿入され、挿通口２３ａは、連結具１７側に位置している。
【００１６】
レンズ支持部材２３はストラップ部材１２に沿って移動自在であり、輪１２ａの大きさはレンズ支持部材２３の位置を変更することにより変えられる。
【００１７】
凸レンズ２４はルーペとしての機能を有する。すなわち、凸レンズ２４を用いることにより、制御ボタン１４やデートボタン１５の近傍にある表示情報を拡大して見ることができ、文字等の内容を容易に識別できる。
【００１８】
レンズ支持部材２３の外周面において、挿通口２３ａと挿通口２３ｂ、２３ｃの間には、開蓋用突起２５とボタン用突起２６とが設けられている。開蓋用突起２５は、電池蓋と本体部の境界にある凹陥部に嵌め込み、電池蓋を開けるための部材である。ボタン用突起２６は、デートボタン１５を押すために用いられる。
【００１９】
レンズ支持部材２３の凸レンズ２４との同一平面上には、標章２７が付されている。標章２７はブランド名、商品名、商標、商号、ロゴ等である。カメラ１１の使用者によって、凸レンズを通して表示情報が見られるとき、同時に標章２７も視界に入れられるので、商標等の宣伝効果が期待される。
【００２０】
以上のように第１の実施形態においては、カメラに付された文字、記号等の表示情報が小さすぎて肉眼によって認識されにくい場合でも、カメラストラップ留め具１３に設けられた凸レンズ２４を使用することにより、見やすくなる。
【００２１】
図４は本発明の第２の実施形態を示す。本発明において第１の実施形態と相違するのは、レンズ支持部材の形状や、凸レンズとレンズ支持部材との位置関係である。また、本実施形態においては、開蓋用突起２５は設けられない。以下相違点のみ述べる。
【００２２】
本実施形態においてレンズ支持部材３３は環状部３３ａとストラップ通し部３３ｂから成り、凸レンズ３４が環状部３３ａの中に形成されている。ストラップ通し部３３ｂは環状部３３ａに接合させられており、環状部３３ａの直径より若干小さい幅で、紐を２本挿通させるのに充分な長さを有している。
【００２３】
ストラップ通し部３３ｂには、ストラップ部材３２を挿通させるために、挿通口３３ｃ、３３ｄ、３３ｅが設けられる。挿通口３３ｃはストラップ部材が２本通るのに充分な大きさの口であり、ストラップ通し部３３ｂにおける外周面で、環状部３３ａに隣接する１面に設けられる。その反対側の外周面には、挿通口３３ｄ、３３ｅが設けられる。挿通口３３ｄ、３３ｅはそれぞれ、ストラップ部材３２が１本通るのに充分な大きさの口である。標章３７は、凸レンズ３４と同一平面上においてストラップ通し部３３ｂに付される。挿通口３３ｃは、挿通口３３ｄおよび３３ｅに連通しており、第１の実施形態と同様に、ストラップ部材３２が挿通させられている。ボタン用突起３６は、ストラップ通し部３３ｂの環状部３３ａ側とは反対の外周面の略中央に設けられる。
【００２４】
第１の実施形態においては、ストラップ部材は凸レンズを取り囲むレンズ支持部材２３に挿通していたが、本実施形態においては、環状部３３ａに接合されたストラップ通し部３３ｂに挿通している。
【００２５】
なお、本発明はカメラ１１に限定されず、携帯して使用される文字や記号等の表示情報が付された携帯機器であれば良く、例えば、携帯電話、ビデオカメラ等に適用することができる。
【００２６】
【発明の効果】
以上説明したように本発明によれば、ストラップ留め具に凸レンズが設けられることにより、カメラ等の携帯機器の表示情報の内容が容易に認識される。
【図面の簡単な説明】
【図１】ストラップが取り付けられたカメラの斜視図である。
【図２】ストラップ留め具の拡大図である。
【図３】ストラップ留め具の透視図である。
【図４】ストラップ留め具の第２の実施形態を示す拡大図である。
【符号の説明】
１０　ストラップ
１１　カメラ
１２　ストラップ部材
１３　ストラップ留め具
１４　制御ボタン
１５　デートボタン
２３、３３　レンズ支持部材
２４、３４　凸レンズ
【図１】
2004109303.tif 000003
【図２】
2004109303.tif 000004
【図３】
2004109303.tif 000005
【図４】
2004109303.tif 000006